(57)【要約】  本発明は、自動車の車室内面、例えば、計器盤、中央支柱、扉等、への極薄型の可撓性表示画面の提供に基づいた装飾システムに関する。これらの可撓性表示画面は、車両の外観に適合した接触感知型であって、種々のコンテンツ、例えば、画像、車両に関する情報を表示可能にするか、または異なる種類の車両仕上げまたは材料を簡便に模擬可能にするように制御ソフトウェアに接続される。【選択図】図１
2019515839.tif 000002
【特許請求の範囲】
【請求項１】
車両の車室の内面、例えば、計器盤、中央支柱部、扉、またはその内部の任意の他の部分等、に配置及び装着された１つまたは複数の可撓性表示画面から成り、前記可撓性表示画面は接触感知型であり、種々のコンテンツ、例えば、画像、データ、車両に関する情報、または任意のマルチメディアファイル等、を表示し得るように制御ソフトウェアに接続されることを特徴とする、車両内装用の装飾システム。
【請求項２】
システムに関係する前記可撓性表示画面を通して得られるデータに応じて警告を出力するように使用されるソフトウェアに接続された運転者生命徴候センサを任意選択的に含むことを特徴とする、請求項１に記載の車両内装用の装飾システム。
【請求項３】
前記可撓性表示画面はＬＥＤ、ＬＣＤ、液晶、または他の可撓性表示画面であることを特徴とする、請求項１に記載の車両内装用の装飾システム。
【発明の詳細な説明】
【技術分野】
【０００１】
本発明は、車両内部の外観に適合し得ると共に異なる画像及び情報の表示を可能にする可撓性表示画面に基づいて、車両内部の任意の部分または領域、特に従来法により、好ましくは自動車の「内装材」に適用可能な、車両内装用の装飾システムに関する。
【背景技術】
【０００２】
車両内部装飾は、経時的に必然性をもって発展してきたものであり、新たな種類の材料、意匠、及び任意の時点での消費者の要望に対しても適合し得る。
【０００３】
その意味で、自動車内部装飾は、織布を始め、木材及び金属、場合によっては皮革及び工業用プラスチックを含めて、種々の種類の材料で表現される。これらの材料はとりわけ、車室内部の最高の快適さ及び美観上の品質を如何なる場合にも達成するよう極めて多様な方法または構成の組合せで配置される。
【発明の概要】
【発明が解決しようとする課題】
【０００４】
しかし、これらの意匠は「不動」であるためユーザは結局それらの意匠に飽きを覚えることもある。例えば、これらの意匠の変更には通常は出費を伴うが、ほとんどの場合には労力に値するもでもなく正当化されるものでもない。
【０００５】
他方、この種の車両は、種々のデータまたは情報、例えば、車両関するデータ、マルチメディアファイル等、を表示可能な手段を有することが益々必要になっている。しかし、最良の場合を想定すると、運転者のみに限れば、従来型の車両計器による以外は計器盤中央表示画面によって達成済みである。あるいは最良の場合を想定すると、前部座席同乗はこの中央表示画面を利用可能であるが、後部座席同乗者はこの表示画面を全く利用できない。
【課題を解決するための手段】
【０００６】
提案に係るシステムは、完全に満足できるように上述の態様の各々で論述した欠点を解消し得る。
【０００７】
具体的には、本発明のシステムは、自動車または車両の内部装飾の新たな概念の確立を可能とするだけでなく、任意の種類の通信の確立と共に、任意の種類の画像ファイルの視聴を可能にする極薄型の可撓性表示画面の使用を基にして、写真、映像、情報の表示も可能であり、または表示画面上の出力画像を通して必要な時にはいつでも修正可能な種々の材料をシミュレートしながら多様な車室表面仕上げも簡便に提示可能である。
【０００８】
このため、装飾システムは、車両の車室内部の各部分または領域に配置されてその表面に可撓性表示画面を内蔵させている。この可撓性表示画面は、マイクロプロセッサに接続された対応配線によって適正に接続されると、車両の制御電子機器に接続されて車両自体の内部の任意の部分からの利用が接触感知方式で可能となり、写真、映像、情報等の視聴が可能になる。
【０００９】
更に、表示画面または車両の内部車室表面に適用された表示画面は、運転者の生命徴候を取得可能なセンサを内蔵し、そのため、例えば、運転者が眠っているかまたは他の何らかの種類の苦痛がある等の場合、表示画面により光信号、場合によっては音声信号、により警告が行われ得る。
【００１０】
装飾システムを構成する表示画面はＬＥＤ表示画面、ＬＣＤ表示画面、液晶表示画面等であればよい。これらの表示画面は、車両の実際の車室後部のみならず、後部及び前部の両扉、計器盤、運転ハンドル上、前部座席間に画成された中間中央部分に適用可能である。
【００１１】
したがって、本発明は、車両内に新規の装飾システムを確立するだけでなく、可撓性表示画面及びそれらに対応する制御電子機器に基づいた当該装飾システムによって、車両の任意部分から接触感知方式で利用可能な任意種類のマルチメディアファイルの視聴及び搭載を可能にするものでもある。
【００１２】
以下に提供する説明を完全にすることにより、好ましい実施形態に従った本発明の特長のよりよい理解の助けとなるよう、図面をその説明の一部として添付することとする。以下の図は説明目的で非限定的に示すものである: 
【図面の簡単な説明】
【００１３】
【図１】図１は、本発明の目的に従って実施される車両内装用の装飾システムを据付けた車両内部の斜視図を示す。
【発明を実施するための形態】
【００１４】
上述の図に鑑みて、提案に係る装飾システムが、１つまたは複数の可撓性表示画面（１）が車両の搭乗者用車室の内装に含まれることに基づいて、車両の内部の外観に如何に適合するかを理解し得るであろう。可撓性表示画面（１）は、その制御機能の利用を可能とするように接触を感知してここに任意の種類の情報、写真、映像等を表示させ得る。
【００１５】
図示の図中で、また上述のように、内部配線により適宜電力供給を受ける可撓性表示画面（１）は、車両の後部扉または場合によっては屋根部と共に、計器盤（２）の異なる領域を占有し得る。これは、この種類の表示画面は、通常は木材、プラスチック、炭素繊維、金属、または他の一般的材料で被覆されているさまざまな表面または部分に装着可能であるからである。
【図１】
2019515839.tif 000003
【手続補正書】
【提出日】平成31年1月8日(2019.1.8)
【手続補正１】
【補正対象書類名】明細書
【補正対象項目名】全文
【補正方法】変更
【補正の内容】
【発明の詳細な説明】
【技術分野】
【０００１】
本発明は、車両内部の外観に適合し得ると共に異なる画像及び情報の表示を可能にする可撓性表示画面に基づいて、車両内部の任意の部分または領域、特に従来法により、好ましくは自動車の「内装材」に適用可能な、車両内装用の装飾システムに関する。
【背景技術】
【０００２】
車両内部装飾は、経時的に必然性をもって発展してきたものであり、新たな種類の材料、意匠、及び任意の時点での消費者の要望に対しても適合し得る。
【０００３】
その意味で、自動車内部装飾は、織布を始め、木材及び金属、場合によっては皮革及び工業用プラスチックを含めて、種々の種類の材料で表現される。これらの材料はとりわけ、車室内部の最高の快適さ及び美観上の品質を如何なる場合にも達成するよう極めて多様な方法または構成の組合せで配置される。
【発明の概要】
【発明が解決しようとする課題】
【０００４】
しかし、これらの意匠は「不動」であるためユーザは結局それらの意匠に飽きを覚えることもある。例えば、これらの意匠の変更には通常は出費を伴うが、ほとんどの場合には労力に値するもでもなく正当化されるものでもない。
【０００５】
他方、この種の車両は、種々のデータまたは情報、例えば、車両に関するデータ、マルチメディアファイル等、を表示可能な手段を有することが益々必要になっている。しかし、最良の場合を想定すると、運転者のみに限れば、従来型の車両計器による以外は計器盤中央表示画面によって達成済みである。あるいは最良の場合を想定すると、前部座席同乗はこの中央表示画面を利用可能であるが、後部座席同乗者はこの表示画面を全く利用できない。
【０００６】
本発明の目的はユーザが好都合と思う回数だけ車両内部の美的外観の変更を可能にする装飾システムを提供することである。
【課題を解決するための手段】
【０００７】
提案に係るシステムは、完全に満足できるように上述の態様の各々で論述した欠点を解消し得る。
【０００８】
具体的には、本発明のシステムは、自動車または車両の内部装飾の新たな概念の確立を可能とするだけでなく、任意の種類の通信の確立と共に、任意の種類の画像ファイルの視聴を可能にする極薄型の可撓性表示画面の使用を基にして、写真、映像、情報の表示も可能であり、または表示画面上の出力画像を通して必要な時にはいつでも修正可能な種々の材料をシミュレートしながら多様な車室表面仕上げも簡便に提示可能である。
【０００９】
このため、装飾システムは、車両の車室内部の各部分または領域に配置されてその表面に可撓性表示画面を内蔵させている。この可撓性表示画面は、マイクロプロセッサに接続された対応配線によって適正に接続されると、車両の制御電子機器に接続されて車両自体の内部の任意の部分からの利用が接触感知方式で可能となり、写真、映像、情報等の視聴が可能になる。
【００１０】
更に、表示画面または車両の内部車室表面に適用された表示画面は、運転者の生命徴候を取得可能なセンサを内蔵し、そのため、例えば、運転者が眠っているかまたは他の何らかの種類の苦痛がある等の場合、表示画面により光信号、場合によっては音声信号、により警告が行われ得る。
【００１１】
装飾システムを構成する表示画面はＬＥＤ表示画面、ＬＣＤ表示画面、液晶表示画面等であればよい。これらの表示画面は、車両の実際の車室後部のみならず、後部及び前部の両扉、計器盤、運転ハンドル上、前部座席間に画成された中間中央部分に適用可能である。
【００１２】
したがって、本発明は、車両内に新規の装飾システムを確立するだけでなく、可撓性表示画面及びそれらに対応する制御電子機器に基づいた当該装飾システムによって、車両の任意部分から接触感知方式で利用可能な任意種類のマルチメディアファイルの視聴及び搭載を可能にするものでもある。
【００１３】
以下に提供する説明を完全にすることにより、好ましい実施形態に従った本発明の特長のよりよい理解の助けとなるよう、図面をその説明の一部として添付することとする。以下の図は説明目的で非限定的に示すものである: 
【図面の簡単な説明】
【００１４】
【図１】図１は、本発明の目的に従って実施される車両内装用の装飾システムを据付けた車両内部の斜視図を示す。
【発明を実施するための形態】
【００１５】
上述の図に鑑みて、提案に係る装飾システムが、１つまたは複数の可撓性表示画面（１）が車両の搭乗者用車室の内装に含まれることに基づいて、車両の内部の外観に如何に適合するかを理解し得るであろう。可撓性表示画面（１）は、その制御機能の利用を可能とするように接触を感知してここに任意の種類の情報、写真、映像等を表示させ得る。
【００１６】
図示の図中で、また上述のように、内部配線により適宜電力供給を受ける可撓性表示画面（１）は、車両の後部扉または場合によっては屋根部と共に、計器盤（２）の異なる領域を占有し得る。これは、この種類の表示画面は、通常は木材、プラスチック、炭素繊維、金属、または他の一般的材料で被覆されているさまざまな表面または部分に装着可能であるからである。
【手続補正２】
【補正対象書類名】特許請求の範囲
【補正対象項目名】全文
【補正方法】変更
【補正の内容】
【特許請求の範囲】
【請求項１】
車両の車室の内部装飾を意図した内面、例えば、計器盤、中央支柱部、扉、またはその内部の任意の他の部分等、に配置及び装着された１つまたは複数の可撓性表示画面から成り、前記可撓性表示画面は接触感知型であり、種々のコンテンツ、例えば、画像、データ、車両に関する情報、または任意のマルチメディアファイル等、好ましくは種々の材料の種々の模倣的な装飾仕上げ、を表示し得るように制御ソフトウェアに接続されることを特徴とする、車両内装用の装飾システム。
【請求項２】
システムに関係する前記可撓性表示画面を通して得られるデータに応じて警告を出力するように使用されるソフトウェアに接続された運転者生命徴候センサを任意選択的に含むことを特徴とする、請求項１に記載の車両内装用の装飾システム。
【請求項３】
前記可撓性表示画面はＬＥＤ、ＬＣＤ、液晶、または他の可撓性表示画面であることを特徴とする、請求項１に記載の車両内装用の装飾システム。
【国際調査報告】
2019515839.tif 000004
2019515839.tif 000005
2019515839.tif 000006
2019515839.tif 000007
2019515839.tif 000008
2019515839.tif 000009